(57)【要約】      （修正有）【課題】  本発明は、常に冷却コンクリートを確実に生成せしめることが出来、特に予め冷却した骨材を使用しない場合においても回収水単独の冷却により冷却コンクリートを容易に生成せしめることが出来る、冷却コンクリートの製造方法、及びその装置を提供しようとするものである。【解決手段】  冷却コンクリート製造装置を構成する水計量器６に冷却回収水を供給せしめるべく回収水冷却槽２６が配設され、該回収水冷却槽２６には回収水を所定温度に冷却せしめるチラー３１が付設されている。そして、チラー３１により冷却せしめた回収水を回収水冷却槽２６に貯溜せしめつつ、適宜冷却回収水を水計量器６に供給せしめ、ミキサ−１によりコンクリート材料と共に混練りして冷却コンクリートを生成せしめるものである。【選択図】図１
2005288698.tif 000002
【特許請求の範囲】
【請求項１】
冷却コンクリートを生成せしめるさいに、コンクリート材料に冷却回収水を配合して混練りせしめることを特徴とする、冷却コンクリートの製造方法。
【請求項２】
冷却コンクリート製造装置を構成する水計量器に冷却回収水を供給せしめるべく回収水冷却槽が配設され、該回収水冷却槽には回収水を所定温度に冷却せしめるチラーが付設されてなることを特徴とする、冷却コンクリートの製造装置。
【発明の詳細な説明】
【技術分野】
【０００１】
本発明は、特に暑中コンクリートに好適な冷却コンクリートの製造方法、及びその装置に関する。
【背景技術】
【０００２】
日平均気温が２５℃を越える暑中環境下で工事を行う暑中コンクリートにおいては、セメントの水和反応が促進して凝固や硬化速度が速くなり、時間の経過と共にスランプの低下が著しく、しかも、水分が急激に蒸発してコールドジョイントやひび割れを発生せしめるのみならず、初期強度が高い反面、長期強度の伸びが小さい等の問題点を有するものである。このため、打込み時のコンクリート温度が３５℃以内（日本土木学会）、荷卸し時のコンクリート温度が３５℃以下（日本建築学会）と定められている。
【０００３】
上記暑中コンクリートの問題点を解決するものとして、特開平８−３０９７３１号公報（特許文献１）には、予め所定温度に冷却せしめた骨材（砂、砂利）をセメント及び水と共に混練りして冷却コンクリートを製造せしめる方法が開示されている。また、特開平７−９４３２号公報（特許文献２）には、セメントを冷却せしめる装置が開示され、予め冷却せしめたセメントを骨材及び水と共に混練りして冷却コンクリートを製造するものとされている。さらに、特開平９−３１４５４１号公報（特許文献３）には、練り水を冷却せしめる装置が開示され、予め冷却せしめた練り水をセメント及び骨材と共に混練りして冷却コンクリートを製造するものとされている。
【特許文献１】特開平８−３０９７３１号公報
【特許文献２】特開平７−９４３２号公報
【特許文献３】特開平９−３１４５４１号公報
【発明の開示】
【発明が解決しようとする課題】
【０００４】
上述の如く、従来の冷却コンクリートは、予め所定温度に冷却せしめた骨材、あるいは練り水を配合して混練りし、冷却コンクリートを製造するものとされている。
【０００５】
ところで、かかる冷却コンクリートを製造するさいには、練り水として清水のみならず回収水（コンクリートの洗浄排水を処理して得られるスラッジ水及び上澄水の総称）を練り水の一部または全部として認められた範囲（セメント質量に対するスラッジ固形分率が３％以内で使用することは、ＪＩＳＡ５３０８の付属書３表２「回収水の品質」の項に規定されている。）において使用されている。そして、かかる回収水にはセメントや骨材の微粉成分が混じっているものであるから、その冷却処理が非常に困難であり、通常は冷却せしめることなく常温でもって直接配合せしめるものとされている。このため、冷却コンクリートの生成に悪影響をおよぼし、満足すべき冷却コンクリートを生成せしめずらいものである。
【０００６】
本発明は従来の問題点を解決し、常に冷却コンクリートを確実に生成せしめることが出来、特に予め冷却せしめた骨材を使用しない場合においても回収水単独の冷却により冷却コンクリートを生成せしめることが出来る、冷却コンクリートの製造方法、及びその装置を提供しようとするものである。
【０００７】
上記の目的を達成するため、本発明の請求項１記載の発明は、冷却コンクリートを生成せしめるさいに、コンクリート材料に冷却回収水を配合して混練りせしめることを特徴とする、冷却コンクリートの製造方法を要旨とするものである。
【０００８】
本発明の請求項２記載の発明は、冷却コンクリート製造装置を構成する水計量器に冷却回収水を供給せしめるべく回収水冷却槽が配設され、該回収水冷却槽には回収水を所定温度に冷却せしめるチラーが付設されてなることを特徴とする、冷却コンクリートの製造装置を要旨とするものである。
【発明の効果】
【０００９】
請求項１記載の発明は上述のように構成されているから、コンクリート材料に冷却回収水を配合して混練りせしめ、常に冷却コンクリートを確実に生成せしめることが出来る。また、回収水を練り水として使用するものであるから、生コンクリート工場から排出される産業廃棄物を減少せしめることが出来るのみならず、資源の有効利用を図ることが出来る。
【００１０】
請求項２記載の発明は上述のように構成されているから、チラーにより冷却せしめた回収水を回収水冷却槽に貯溜せしめつつ、適宜冷却回収水を水計量器に供給せしめ、ミキサ−により他のコンクリート材料と共に混練りして常に冷却コンクリートを確実に生成せしめることが出来る。また、回収水を練り水として使用するものであるから、生コンクリート工場から排出される産業廃棄物を減少せしめることが出来るのみならず、資源の有効利用を図ることが出来るものである。
【発明を実施するための最良の形態】
【００１１】
以下に、本発明を実施するための最良の形態を図面に示す一実施例に基づいて説明する
。
【実施例】
【００１２】
図１及び図２は本発明の一実施例を示すもので、同図中、１は冷却コンクリート製造装置を構成するミキサー、２は該ミキサーの下方に配設されたコンクリートホッパー、３・４・５・６はミキサー１の上方に配設されたセメント計量器と砂利計量器と砂計量器と水計量器、７・８・９は該セメント計量器３と砂利計量器４と砂計量器５の上方に各々配設されたセメント貯蔵ビンと砂利貯蔵ビンと砂貯蔵ビンで、該セメント貯蔵ビン７は別途設置されたセメントサイロ１０よりセメントを空気輸送手段１１により供給せしめるものとされている。また、砂利貯蔵ビン８及び砂貯蔵ビン９は別途設置された骨材貯蔵ビン１２より公知の方法により冷却せしめた砂利・砂をベルトコンベア１３・ターンシュート１４を介して供給するものとされている。
【００１３】
１５・１６は前記水計量器６の上方に配設された清水貯蔵ビンと回収水貯蔵ビン、１７は清水貯蔵ビン１５に清水を供給せしめるべく送水パイプ１８を介して接続された清水貯溜槽、１９は該清水貯溜槽１７に清水を所定温度に冷却して還流せしめるべく送水パイプ２０と還流パイプ２１を介して接続された清水用チラーで、該清水用チラー１９は公知のものが用いられている。２２は前記回収水貯蔵ビン１６に常温下の回収水を必要に応じて供給せしめるべく送水パイプ２３と還流パイプ２４を介して接続された攪拌機２５付き回収水貯溜槽、２６は該回収水貯溜槽２２より常温下の回収水を移送パイプ２７により移送せしめて冷却保持せしめる攪拌機２８付き回収水冷却槽、２９・３０は該回収水冷却槽２６より一定量の冷却回収水を前記回収水貯蔵ビン１６に供給する送水パイプと還流パイプ
、３１は回収水冷却槽２６内の回収水を循環せしめつつ所定温度に冷却せしめる回収水用チラーで、該回収水用チラー３１は図２に示すように、アンモニアや二酸化炭素などの冷媒を封入せしめた冷媒室３２と、該冷媒室３２内に蛇行状に配設せしめた回収水用冷却パイプ３３と、冷媒室３２内の冷媒を外方に循環せしめつつ冷却せしめる冷媒用冷却パイプ３４と、該冷媒用冷却パイプ３４を冷却せしめる冷却室３５と、該冷却室３５内に配設された冷却水用循環パイプ３６とより構成されている。３７は上記冷却水用循環パイプ３６に接続されたクーリングタワーである。
【００１４】
次に、上述の如く構成された実施例による冷却コンクリートの製造について説明する。
【００１５】
先ず、回収水貯溜槽２２より回収水を移送パイプ２７により順次回収水冷却槽２６に移送せしめると共に、移送せしめた回収水を順次循環せしめつつ回収水用チラー３１により所定温度に冷却せしめ、回収水冷却槽２６内に冷却貯溜せしめる。そして、セメントをセメント貯蔵ビン７に、また、公知の方法により予め冷却せしめた砂利・砂を各々・砂利貯蔵ビン８・砂貯蔵ビン９に貯蔵せしめると共に、清水用チラー１９により冷却せしめた冷却清水を練り水の一部として清水貯溜槽１７より清水貯蔵ビン１５に、また、回収水用チラー３１により冷却せしめた冷却回収水を練り水の残部（セメント質量に対するスラッジ固形分率が３％以内）として回収水冷却槽２６より回収水貯蔵ビン１６に各々供給せしめる。次いで、セメント及び冷却せしめた砂利・砂・清水・回収水を各々セメント計量器３
・砂利計量器４・砂計量器５・水計量器６により計量せしめたのち、ミキサー１に投入せしめ、混練りして冷却コンクリートを製造せしめる。このさい、練り水の一部として使用する回収水は回収水用チラー３１により所定温度に冷却せしめられているから、予め冷却せしめた砂利・砂・清水に悪影響を及ぼすことなく冷却コンクリートを確実に製造せしめることが出来るものである。また、練り水の一部として回収水を使用するものであるから生コンクリート工場から排出される産業廃棄物を減少せしめることが出来るのみならず、資源の有効利用を図ることが出来るものである。
【００１６】
製造せしめた冷却コンクリートはミキサ−１よりコンクリートホッパー２を介して排出し、アジテーター車に積載せしめる。
【００１７】
なお、上記実施例において、練り水の一部として冷却清水を使用すると共に、残部として冷却回収水を使用するものとされているが、必要に応じて冷却回収水を全量練り水として使用してもよいものである。また、清水・砂利・砂は予め所定温度に冷却せしめるものとされているが、これに限定されるものでなく、外気温に応じて所要のコンクリート材料のみを冷却使用せしめ、あるいは、予めコンクリート材料を冷却せしめることなく冷却回収水のみで冷却して冷却コンクリ−トを生成せしめてもよいものである。さらに、実施例は、冷却コンクリートの製造のみならず、必要に応じて適宜通常のコンクリートの製造にも適用せしめることが出来るものである。
【図面の簡単な説明】
【００１８】
【図１】本発明の一実施例を示す模式図である。
【図２】実施例の回収水用チラー３１を示す概略図である。
【符号の説明】
【００１９】
１    ミキサ−
６    水計量器
２６  回収水冷却槽
３１  回収水用チラー
【図１】
2005288698.tif 000003
【図２】
2005288698.tif 000004